(57)【要約】【課題】携帯端末機の撮影機能などに対し、確実に機能制限および機能制限解除を行うこと。【解決手段】管理装置２の制御バーコード作成装置３が作成および管理する機能制限移行用バーコードおよび機能制限解除用バーコードを、カメラ付き携帯電話機１の撮影機能（撮像部）によって読み取らせ、バーコードデコーダでデコードさせることで、機能制限／解除制御部がカメラ付き携帯電話機１の所定機能、たとえば撮影機能（画像処理機能や画像メモリの記憶機能）などの制限および制限解除を行う。【選択図】        図１
2006319575.tif 000002
【特許請求の範囲】
【請求項１】
少なくとも対象物を撮影する撮影手段を備える携帯端末機と、管理装置とで構成され、前記携帯端末機の所定機能を制限する携帯端末システムにおいて、
前記管理装置は、
前記携帯端末機に読み取らせる機能制限移行用バーコードと機能制限解除用バーコードとを一対一で管理する管理手段と、
前記機能制限移行用バーコードまたは前記機能制限解除用バーコードを表示する表示手段と、
を備え、前記携帯端末機は、
前記撮影手段によって自機に機能制限移行用バーコードを読み取らせデコードさせることで、前記自機の所定機能を制限する機能制限手段と、
前記撮影手段によって前記自機に機能制限解除用バーコードを読み取らせデコードさせることで、前記自機の所定機能の制限を解除する機能制限解除手段と、
備えることを特徴とする携帯端末システム。
【請求項２】
前記管理装置は、
第１の秘密鍵の情報を含ませた前記機能制限移行用バーコードを作成する移行用バーコード作成手段と、
前記第１の秘密鍵に対応する第１の公開鍵の情報で解除情報を暗号化した前記機能制限解除用バーコードを作成する解除用バーコード作成手段と、
をさらに備えることを特徴とする請求項１に記載の携帯端末システム。
【請求項３】
対象物を撮影する撮影手段と、
前記撮影手段によって自機に証明用バーコードを読み取らせデコードし、かつ第１の公開鍵で復号化することで、前記携帯端末機の所定機能が制限されていることを確認する確認手段と、
を備える確認用端末機をさらに備え、前記管理装置は、
前記第１の公開鍵に対応する第１の秘密鍵の情報を含ませた前記機能制限移行用バーコードを作成する移行用バーコード作成手段を、
さらに備え、前記携帯端末機は、
前記自機の所定機能が機能制限移行済みになると、前記第１の秘密鍵の情報で暗号化し、かつエンコードすることで、前記機能制限移行済みであることを示す証明用バーコードを作成する証明用バーコード作成手段と、
前記証明用バーコード作成手段で作成された証明用バーコードを表示する表示手段と、
をさらに備えることを特徴とする請求項１に記載の携帯端末システム。
【請求項４】
前記移行用バーコード作成手段は、前記携帯端末機に機能制限移行用バーコードをデコードさせた際に、前記第１の秘密鍵とともに、機能制限モードへの移行処理を指示する制御コードが抽出されるように、前記機能制限移行用バーコードを作成することを特徴とする請求項２または３に記載の携帯端末システム。
【請求項５】
前記機能制限手段が制限する所定機能は、前記撮影手段が撮影した画像を画像処理する機能であることを特徴とする請求項１に記載の携帯端末システム。
【請求項６】
前記機能制限手段が制限する所定機能は、前記撮影手段が撮影した画像を記憶する機能であることを特徴とする請求項１に記載の携帯端末システム。
【請求項７】
前記携帯端末機の機能制限状態を検知するサーバを、
さらに備えることを特徴とする請求項１〜６のいずれか一つに記載の携帯端末システム。
【請求項８】
前記携帯端末機は、
機能制限状態の情報を取り込んだ第２の公開鍵の情報で暗号化して通知する第１の通知手段を、
さらに備え、前記サーバは、
前記第２の公開鍵の情報を前記携帯端末機に通知する第２の通知手段と、
前記第２の公開鍵に対応する第２の秘密鍵で前記機能制限状態の情報を復号化する復号化手段と、
をさらに備えることを特徴とする請求項７に記載の携帯端末システム。
【請求項９】
前記携帯端末機は、
機能制限状態の情報を自機が保存する第３の秘密鍵の情報で暗号化して前記サーバに通知する第３の通知手段を、
さらに備え、前記サーバは、
前記第３の秘密鍵に対応する第３の公開鍵で前記機能制限状態の情報を復号化する復号化手段を、
さらに備えることを特徴とする請求項７に記載の携帯端末システム。
【請求項１０】
前記携帯端末機が保持する前記第３の秘密鍵の情報は、外部からアクセスができない状態で保存されることを特徴とする請求項９に記載の携帯端末システム。
【請求項１１】
少なくとも対象物を撮影する撮影手段を備える携帯端末機と管理装置と前記携帯端末機および管理装置と通信を行うサーバとで構成され、前記携帯端末機の所定機能を制限する携帯端末システムにおいて、
前記携帯端末機は、
自機のユーザが承認した場合に、前記所定機能制限の承認情報を作成し、前記承認情報を前記サーバに出力する承認情報作成手段と、
前記サーバからの機能制限処理に基づいて、自機の所定機能を制限する機能制限手段と、
を備え、前記サーバは、
前記携帯端末機から前記承認情報を受け取ると、前記携帯端末機の所定機能を制限するための機能制限処理を行う機能制限処理手段を、
備え、前記管理装置は、
前記携帯端末機の所定機能制限を管理する管理手段を、
備えることを特徴とする携帯端末システム。
【請求項１２】
前記承認情報作成手段は、前記ユーザが承認した旨の情報を第１の秘密鍵で暗号化して承認情報を作成し、
前記機能制限処理手段は、前記受け取った承認情報を、前記第１の秘密鍵に対応する第１の公開鍵で復号化し、前記承認情報が認識できた場合に、前記携帯端末機の機能制限処理を行うことを特徴とする請求項１１に記載の携帯端末システム。
【請求項１３】
前記携帯端末機は、
前記機能制限の解除要求を、前記管理装置に出力する出力手段と、
前記サーバからの機能制限解除処理に基づいて、自機の所定機能の制限を解除する機能制限解除手段と、
をさらに備え、前記管理装置の管理手段は、前記機能制限の解除要求を受け取ると、前記解除要求を承認する旨の情報を第２の秘密鍵で暗号化した承認情報を作成し、前記承認情報を前記サーバに出力し、
前記サーバは、
前記管理装置から前記要求の承認情報を受け取ると、前記携帯端末機の機能制限の解除処理を行う機能制限解除処理手段を、
さらに備えることを特徴とする請求項１１または１２に記載の携帯端末システム。
【請求項１４】
前記機能制限手段が機能制限する前記携帯端末機の所定機能は、前記撮影手段が撮影した画像を画像処理する機能であることを特徴とする請求項１１〜１３のいずれか一つに記載の携帯端末システム。
【請求項１５】
前記機能制限手段が機能制限する前記携帯端末機の所定機能は、前記撮影手段が撮影した画像を記憶する機能であることを特徴とする請求項１１〜１３のいずれか一つに記載の携帯端末システム。
【請求項１６】
少なくとも対象物を撮影する撮影機能を含む携帯端末機の所定機能を、管理装置で制限するための携帯端末機の機能制限方法において、
前記管理装置で携帯端末機に読み取らせる機能制限移行用バーコードと機能制限解除用バーコードとを一対一で管理する管理工程と、
前記携帯端末機が有する撮影機能によって、自機に前記機能制限移行用バーコードを読み取らせデコードさせることで、前記自機の所定機能を制限する機能制限工程と、
前記撮影機能によって、前記自機に前記機能制限解除用バーコードを読み取らせデコードさせることで、前記自機の所定機能の制限を解除する機能制限解除工程と、
を含むことを特徴とする携帯端末機の機能制限方法。
【請求項１７】
前記管理装置で第１の秘密鍵の情報を含ませた前記機能制限移行用バーコードを作成する移行用バーコード作成工程と、
前記管理装置で前記第１の秘密鍵に対応する第１の公開鍵の情報で解除情報を暗号化した前記機能制限解除用バーコードを作成する解除用バーコード作成工程と、
をさらに含むことを特徴とする請求項１６に記載の携帯端末機の機能制限方法。
【請求項１８】
前記管理装置で第１の秘密鍵の情報を含ませた前記機能制限移行用バーコードを作成する移行用バーコード作成工程と、
前記携帯端末機で前記自機の所定撮影機能が機能制限移行済みになると、前記第１の秘密鍵の情報で暗号化し、かつエンコードすることで、前記機能制限移行済みであることを示す証明用バーコードを作成する証明用バーコード作成工程と、
前記作成された証明用バーコードを表示する表示工程と、
前記証明用バーコードを撮影手段を備える確認用端末機で読み取ってデコードし、かつ前記第１の秘密鍵に対応する第１の公開鍵で復号化することで、前記携帯端末機の所定機能が制限されていることを確認する確認工程と、
をさらに含むことを特徴とする請求項１６に記載の携帯端末機の機能制限方法。
【請求項１９】
前記移行用バーコード作成工程では、前記携帯端末機に機能制限移行用バーコードをデコードさせた際に、前記第１の秘密鍵とともに、機能制限モードへの移行処理を指示する制御コードが抽出されるように、前記機能制限移行用バーコードを作成することを特徴とする請求項１７または１８に記載の携帯端末機の機能制限方法。
【請求項２０】
前記機能制限工程で制限される所定機能は、前記撮影手段が撮影した画像を画像処理する機能であることを特徴とする請求項１６に記載の携帯端末機の機能制限方法。
【請求項２１】
前記機能制限工程で制限される所定機能は、前記撮影手段が撮影した画像を記憶する機能であることを特徴とする請求項１６に記載の携帯端末機の機能制限方法。
【請求項２２】
前記携帯端末機の機能制限状態をサーバが検知する状態検知工程を、
さらに含むことを特徴とする請求項１６〜２１のいずれか一つに記載の携帯端末機の機能制限方法。
【請求項２３】
前記携帯端末機が機能制限状態の情報を取り込んだ第２の公開鍵の情報で暗号化して通知する第１の通知工程と、
前記サーバが前記第２の公開鍵の情報を前記携帯端末機に通知する第２の通知工程と、
前記サーバが前記第２の公開鍵に対応する第２の秘密鍵で前記機能制限状態の情報を復号化する復号化工程と、
をさらに含むことを特徴とする請求項２２に記載の携帯端末機の機能制限方法。
【請求項２４】
前記携帯端末機が機能制限状態の情報を自機が保存する第３の秘密鍵の情報で暗号化して前記サーバに通知する第３の通知工程と、
前記サーバが前記第３の秘密鍵に対応する第３の公開鍵で前記機能制限状態の情報を復号化する復号化工程と、
をさらに含むことを特徴とする請求項２２に記載の携帯端末機の機能制限方法。
【請求項２５】
前記携帯端末機が保持する前記第３の秘密鍵の情報は、外部からアクセスができない状態で保存されることを特徴とする請求項２４に記載の携帯端末機の機能制限方法。
【請求項２６】
少なくとも対象物を撮影する撮影機能を含む携帯端末機の所定機能を、管理装置で制限するとともに、サーバが前記携帯端末機および管理装置と通信を行うための携帯端末機の機能制限方法において、
前記携帯端末機のユーザが承認した場合に、自機が前記所定機能制限の承認情報を作成し、前記承認情報を前記サーバに出力する承認情報作成工程と、
前記携帯端末機から前記承認情報を受け取ると、前記サーバが前記携帯端末機の所定機能を制限するための機能制限処理を行う機能制限処理工程と、
前記サーバからの機能制限処理に基づいて、前記携帯端末機が前記所定機能を制限する機能制限工程と、
前記処理される携帯端末機の所定機能制限の状態を前記管理装置が管理する第１の管理工程と、
を含むことを特徴とする携帯端末機の機能制限方法。
【請求項２７】
前記承認情報作成工程では、前記ユーザが承認した旨の情報を第１の秘密鍵で暗号化して承認情報を作成し、
前記機能制限処理工程では、前記受け取った承認情報を、前記第１の秘密鍵に対応する第１の公開鍵で復号化し、前記承認情報が認識できた場合に、前記携帯端末機の機能制限処理を行うことを特徴とする請求項２６に記載の携帯端末機の機能制限方法。
【請求項２８】
前記携帯端末機が前記機能制限の解除要求を、前記管理装置に出力する出力工程と、
前記機能制限の解除要求を受け取ると、前記解除要求を承認する旨の情報を第２の秘密鍵で暗号化した承認情報を作成し、前記承認情報を前記サーバに出力する第２の管理工程と、
前記管理装置から前記要求の承認情報を受け取ると、前記サーバが前記携帯端末機の機能制限の解除処理を行う機能制限解除処理工程と、
前記サーバからの機能制限解除処理に基づいて、前記携帯端末機が前記所定機能の制限を解除する機能制限解除工程と、
をさらに含むことを特徴とする請求項２６または２７に記載の携帯端末機の機能制限方法。
【請求項２９】
前記機能制限工程で機能制限する前記携帯端末機の所定機能は、前記撮影手段が撮影した画像を画像処理する機能であることを特徴とする請求項２６〜２８のいずれか一つに記載の携帯端末機の機能制限方法。
【請求項３０】
前記機能制限工程で機能制限する前記携帯端末機の所定機能は、前記撮影手段が撮影した画像を記憶する機能であることを特徴とする請求項２６〜２８のいずれか一つに記載の携帯端末機の機能制限方法。
【発明の詳細な説明】
【技術分野】
【０００１】
本発明は、カメラ付き携帯端末機の有する所定機能、たとえば撮影機能を制限または制限解除する携帯端末システムおよび携帯端末機の機能制限方法に関するものである。
【背景技術】
【０００２】
従来、シャッタースイッチがオンになると、ファインダ画像を撮影する撮影部を備えるカメラがあり、このカメラでは、禁止パターンがファインダ画像に有ると判断されたときには、シャッタースイッチがオンになっても、画像の撮影を行わないように機能を設定するものがあった（特許文献１参照）。また、携帯電話機に設けられたカメラで、所定のバーコードを撮影することによって、携帯電話機の機能を設定するものもあった（特許文献２参照）。
【０００３】
【特許文献１】特開２００３−８７６４３号公報
【特許文献２】特開２００３−２８９３５０号公報
【発明の開示】
【発明が解決しようとする課題】
【０００４】
しかしながら、これらカメラや携帯電話機では、撮影禁止などの機能制限を、ユーザが勝手に解除することが可能であり、このために撮影禁止などの機能制限の機能が、十分に発揮されないという問題があった。また、携帯電話機を管理する管理者が、その携帯電話機が適切に撮影禁止などの機能制限がなされているか否か判断できないという問題があった。さらに、たとえば携帯電話会社のセンターサーバが電話回線を使用して、携帯電話機の機能制限を行うことができないという問題もあった。
【０００５】
本発明は、上記問題に鑑みてなされたものであって、携帯端末機の撮影機能などに対し、確実に機能制限および機能制限解除を行うことができる携帯端末システムおよび携帯端末機の機能制限方法を提供することを目的とする。
【課題を解決するための手段】
【０００６】
上述した課題を解決し、目的を達成するために、本発明にかかる携帯端末システムは、少なくとも対象物を撮影する撮影手段を備える携帯端末機と、管理装置とで構成され、前記携帯端末機の所定機能を制限する携帯端末システムにおいて、前記管理装置は、前記携帯端末機に読み取らせる機能制限移行用バーコードと機能制限解除用バーコードとを一対一で管理する管理手段と、前記機能制限移行用バーコードまたは前記機能制限解除用バーコードを表示する表示手段と、を備え、前記携帯端末機は、前記撮影手段によって自機に機能制限移行用バーコードを読み取らせデコードさせることで、前記自機の所定機能を制限する機能制限手段と、前記撮影手段によって前記自機に機能制限解除用バーコードを読み取らせデコードさせることで、前記自機の所定機能の制限を解除する機能制限解除手段と、を備えることを特徴とする。
【０００７】
また、請求項２の発明にかかる携帯端末システムは、上記発明において、前記管理装置は、第１の秘密鍵の情報を含ませた前記機能制限移行用バーコードを作成する移行用バーコード作成手段と、前記第１の秘密鍵に対応する第１の公開鍵の情報で解除情報を暗号化した前記機能制限解除用バーコードを作成する解除用バーコード作成手段と、をさらに備えることを特徴とする。
【０００８】
また、請求項３の発明にかかる携帯端末システムは、上記発明において、対象物を撮影する撮影手段と、前記撮影手段によって自機に証明用バーコードを読み取らせデコードし、かつ第１の公開鍵で復号化することで、前記携帯端末機の所定機能が制限されていることを確認する確認手段と、を備える確認用端末機をさらに備え、前記管理装置は、前記第１の公開鍵に対応する第１の秘密鍵の情報を含ませた前記機能制限移行用バーコードを作成する移行用バーコード作成手段を、さらに備え、前記携帯端末機は、前記自機の所定機能が機能制限移行済みになると、前記第１の秘密鍵の情報で暗号化し、かつエンコードすることで、前記機能制限移行済みであることを示す証明用バーコードを作成する証明用バーコード作成手段と、前記証明用バーコード作成手段で作成された証明用バーコードを表示する表示手段と、をさらに備えることを特徴とする。
【０００９】
また、請求項４の発明にかかる携帯端末システムは、上記発明において、前記移行用バーコード作成手段は、前記携帯端末機に機能制限移行用バーコードをデコードさせた際に、前記第１の秘密鍵とともに、機能制限モードへの移行処理を指示する制御コードが抽出されるように、前記機能制限移行用バーコードを作成することを特徴とする。
【００１０】
また、請求項５の発明にかかる携帯端末システムは、上記発明において、前記機能制限手段が制限する所定機能は、前記撮影手段で撮影した画像を画像処理する機能であることを特徴とする。
【００１１】
また、請求項６の発明にかかる携帯端末システムは、上記発明において、前記機能制限手段が制限する所定機能は、前記携帯端末機が撮影した画像を記憶する機能であることを特徴とする。
【００１２】
また、請求項７の発明にかかる携帯端末システムは、上記発明において、前記携帯端末機の機能制限状態を検知するサーバを、さらに備えることを特徴とする。
【００１３】
また、請求項８の発明にかかる携帯端末システムは、上記発明において、前記携帯端末機は、機能制限状態の情報を取り込んだ第２の公開鍵の情報で暗号化して通知する第１の通知手段を、さらに備え、前記サーバは、前記第２の公開鍵の情報を前記携帯端末機に通知する第２の通知手段と、前記第２の公開鍵に対応する第２の秘密鍵で前記機能制限状態の情報を復号化する復号化手段と、をさらに備えることを特徴とする。
【００１４】
また、請求項９の発明にかかる携帯端末システムは、上記発明において、前記携帯端末機は、機能制限状態の情報を自機が保存する第３の秘密鍵の情報で暗号化して前記サーバに通知する第３の通知手段を、さらに備え、前記サーバは、前記第３の秘密鍵に対応する第３の公開鍵で前記機能制限状態の情報を復号化する復号化手段を、さらに備えることを特徴とする。
【００１５】
また、請求項１０の発明にかかる携帯端末システムは、上記発明において、前記携帯端末機が保持する前記第３の秘密鍵の情報は、外部からアクセスができない状態で保存されることを特徴とする。
【００１６】
また、請求項１１の発明にかかる携帯端末システムは、少なくとも対象物を撮影する撮影手段を備える携帯端末機と管理装置と前記携帯端末機および管理装置と通信を行うサーバとで構成され、前記携帯端末機の所定機能を制限する携帯端末システムにおいて、前記携帯端末機は、自機のユーザが承認した場合に、前記所定機能制限の承認情報を作成し、前記承認情報を前記サーバに出力する承認情報作成手段と、前記サーバからの機能制限処理に基づいて、自機の所定機能を制限する機能制限手段と、を備え、前記サーバは、前記携帯端末機から前記承認情報を受け取ると、前記携帯端末機の所定機能を制限するための機能制限処理を行う機能制限処理手段を、備え、前記管理装置は、前記携帯端末機の所定機能制限を管理する管理手段を、備えることを特徴とする。
【００１７】
また、請求項１２の発明にかかる携帯端末システムは、上記発明において、前記承認情報作成手段は、前記ユーザが承認した旨の情報を第１の秘密鍵で暗号化して承認情報を作成し、前記機能制限処理手段は、前記受け取った承認情報を、前記第１の秘密鍵に対応する第１の公開鍵で復号化し、前記承認情報が認識できた場合に、前記携帯端末機の機能制限処理を行うことを特徴とする。
【００１８】
また、請求項１３の発明にかかる携帯端末システムは、上記発明において、前記携帯端末機は、前記機能制限の解除要求を、前記管理装置に出力する出力手段と、前記サーバからの機能制限解除処理に基づいて、自機の所定機能の制限を解除する機能制限解除手段と、をさらに備え、前記管理装置の管理手段は、前記機能制限の解除要求を受け取ると、前記解除要求を承認する旨の情報を第２の秘密鍵で暗号化した承認情報を作成し、前記承認情報を前記サーバに出力し、前記サーバは、前記管理装置から前記要求の承認情報を受け取ると、前記携帯端末機の機能制限の解除処理を行う機能制限解除処理手段を、さらに備えることを特徴とする。
【００１９】
また、請求項１４の発明にかかる携帯端末システムは、上記発明において、前記機能制限手段が機能制限する前記携帯端末機の所定機能は、前記撮影手段が撮影した画像を画像処理する機能であることを特徴とする。
【００２０】
また、請求項１５の発明にかかる携帯端末システムは、上記発明において、前記機能制限手段が機能制限する前記携帯端末機の所定機能は、前記撮影手段が撮影した画像を記憶する機能であることを特徴とする。
【００２１】
また、請求項１６の発明にかかる携帯端末機の機能制限方法は、少なくとも対象物を撮影する撮影機能を含む携帯端末機の所定機能を、管理装置で制限するための携帯端末機の機能制限方法において、前記管理装置で携帯端末機に読み取らせる機能制限移行用バーコードと機能制限解除用バーコードとを一対一で管理する管理工程と、前記携帯端末機が有する撮影機能によって、自機に前記機能制限移行用バーコードを読み取らせデコードさせることで、前記自機の所定機能を制限する機能制限工程と、前記撮影機能によって、前記自機に前記機能制限解除用バーコードを読み取らせデコードさせることで、前記自機の所定機能の制限を解除する機能制限解除工程と、を含むことを特徴とする。
【００２２】
また、請求項１７の発明にかかる携帯端末機の機能制限方法は、上記発明において、前記管理装置で第１の秘密鍵の情報を含ませた前記機能制限移行用バーコードを作成する移行用バーコード作成工程と、前記管理装置で前記第１の秘密鍵に対応する第１の公開鍵の情報で解除情報を暗号化した前記機能制限解除用バーコードを作成する解除用バーコード作成工程と、をさらに含むことを特徴とする。
【００２３】
また、請求項１８の発明にかかる携帯端末機の機能制限方法は、上記発明において、前記管理装置で第１の秘密鍵の情報を含ませた前記機能制限移行用バーコードを作成する移行用バーコード作成工程と、前記携帯端末機で前記自機の所定撮影機能が機能制限移行済みになると、前記第１の秘密鍵の情報で暗号化し、かつエンコードすることで、前記機能制限移行済みであることを示す証明用バーコードを作成する証明用バーコード作成工程と、前記作成された証明用バーコードを表示する表示工程と、前記証明用バーコードを撮影手段を備える確認用端末機で読み取ってデコードし、かつ前記第１の秘密鍵に対応する第１の公開鍵で復号化することで、前記携帯端末機の所定機能が制限されていることを確認する確認工程と、をさらに含むことを特徴とする。
【００２４】
また、請求項１９の発明にかかる携帯端末機の機能制限方法は、上記発明において、前記移行用バーコード作成工程では、前記携帯端末機に機能制限移行用バーコードをデコードさせた際に、前記第１の秘密鍵とともに、機能制限モードへの移行処理を指示する制御コードが抽出されるように、前記機能制限移行用バーコードを作成することを特徴とする。
【００２５】
また、請求項２０の発明にかかる携帯端末機の機能制限方法は、上記発明において、前記機能制限工程で制限される所定機能は、前記撮影手段が撮影した画像を画像処理する機能であることを特徴とする。
【００２６】
また、請求項２１の発明にかかる携帯端末機の機能制限方法は、上記発明において、前記機能制限工程で制限される所定機能は、前記撮影手段が撮影した画像を記憶する機能であることを特徴とする。
【００２７】
また、請求項２２の発明にかかる携帯端末機の機能制限方法は、上記発明において、前記携帯端末機の機能制限状態をサーバが検知する状態検知工程を、さらに含むことを特徴とする。
【００２８】
また、請求項２３の発明にかかる携帯端末機の機能制限方法は、上記発明において、前記携帯端末機が機能制限状態の情報を取り込んだ第２の公開鍵の情報で暗号化して通知する第１の通知工程と、前記サーバが前記第２の公開鍵の情報を前記携帯端末機に通知する第２の通知工程と、前記サーバが前記第２の公開鍵に対応する第２の秘密鍵で前記機能制限状態の情報を復号化する復号化工程と、をさらに含むことを特徴とする。
【００２９】
また、請求項２４の発明にかかる携帯端末機の機能制限方法は、上記発明において、前記携帯端末機が機能制限状態の情報を自機が保存する第３の秘密鍵の情報で暗号化して前記サーバに通知する第３の通知工程と、前記サーバが前記第３の秘密鍵に対応する第３の公開鍵で前記機能制限状態の情報を復号化する復号化工程と、をさらに含むことを特徴とする。
【００３０】
また、請求項２５の発明にかかる携帯端末機の機能制限方法は、上記発明において、前記携帯端末機が保持する前記第３の秘密鍵の情報は、外部からアクセスができない状態で保存されることを特徴とする。
【００３１】
また、請求項２６の発明にかかる携帯端末機の機能制限方法は、少なくとも対象物を撮影する撮影機能を含む携帯端末機の所定機能を、管理装置で制限するとともに、サーバが前記携帯端末機および管理装置と通信を行うための携帯端末機の機能制限方法において、前記携帯端末機のユーザが承認した場合に、自機が前記所定機能制限の承認情報を作成し、前記承認情報を前記サーバに出力する承認情報作成工程と、前記携帯端末機から前記承認情報を受け取ると、前記サーバが前記携帯端末機の所定機能を制限するための機能制限処理を行う機能制限処理工程と、前記サーバからの機能制限処理に基づいて、前記携帯端末機が前記所定機能を制限する機能制限工程と、前記処理される携帯端末機の所定機能制限の状態を前記管理装置が管理する第１の管理工程と、を含むことを特徴とする。
【００３２】
また、請求項２７の発明にかかる携帯端末機の機能制限方法は、上記発明において、前記承認情報作成工程では、前記ユーザが承認した旨の情報を第１の秘密鍵で暗号化して承認情報を作成し、前記機能制限処理工程では、前記受け取った承認情報を、前記第１の秘密鍵に対応する第１の公開鍵で復号化し、前記承認情報が認識できた場合に、前記携帯端末機の機能制限処理を行うことを特徴とする。
【００３３】
また、請求項２８の発明にかかる携帯端末機の機能制限方法は、上記発明において、前記携帯端末機が前記機能制限の解除要求を、前記管理装置に出力する出力工程と、前記機能制限の解除要求を受け取ると、前記解除要求を承認する旨の情報を第２の秘密鍵で暗号化した承認情報を作成し、前記承認情報を前記サーバに出力する第２の管理工程と、前記管理装置から前記要求の承認情報を受け取ると、前記サーバが前記携帯端末機の機能制限の解除処理を行う機能制限解除処理工程と、前記サーバからの機能制限解除処理に基づいて、前記携帯端末機が前記所定機能の制限を解除する機能制限解除工程と、をさらに含むことを特徴とする。
【００３４】
また、請求項２９の発明にかかる携帯端末機の機能制限方法は、上記発明において、前記機能制限工程で機能制限される前記携帯端末機の所定機能は、前記撮影手段が撮影した画像を画像処理する機能であることを特徴とする。
【００３５】
また、請求項３０の発明にかかる携帯端末機の機能制限方法は、上記発明において、前記機能制限工程で機能制限される前記携帯端末機の所定機能は、前記撮影手段が撮影した画像を記憶する機能であることを特徴とする。
【発明の効果】
【００３６】
本発明にかかる携帯端末システムおよび携帯端末機の機能制御方法は、管理装置が管理する機能制限移行用バーコードを、携帯端末機の撮影機能によって読み取らせデコードさせることで、機能制限手段が携帯端末機の所定機能の制限を行うので、携帯端末機の撮影機能などに対し、確実に機能制限を行うことができるという効果を奏する。
【００３７】
また、本発明にかかる携帯端末システムおよび携帯端末機の機能制御方法は、管理装置が管理する機能制限解除用バーコードを、携帯端末機の撮影機能によって読み取らせデコードさせることで、機能制限解除手段が携帯端末機の所定機能の制限解除を行うので、携帯端末機の撮影機能などに対し、確実に機能制限解除を行うことができるという効果を奏する。
【発明を実施するための最良の形態】
【００３８】
以下に、本発明にかかる携帯端末システムおよび携帯端末機の機能制限方法の実施の形態を図１〜図１３の図面に基づいて詳細に説明する。なお、本発明は、これらの実施の形態に限定されるものではなく、本発明の要旨を逸脱しない範囲で種々の変更実施の形態が可能である。
【００３９】
（実施の形態１）
図１は、本発明にかかる携帯端末システムの実施の形態１の構成の概念を示す概念図である。図において、携帯端末システムは、携帯端末機としての携帯電話機１と、管理装置２と、サーバとしての携帯電話会社のセンターサーバ６とから構成されており、暗号化を施す方式を用いて、制御バーコードを読み取ることで携帯電話機１の所定機能を制限および制限解除するものである。
【００４０】
携帯電話機１は、カメラの撮影機能を有するカメラ付き携帯電話機である。このカメラ付き携帯電話機１は、図２のブロック図に示すように、被写体からの反射光を取り込むレンズ１０と、レンズ１０を介して被写体を撮影する撮影手段としての撮像部１１と、画像情報の画像処理を行う撮像画像処理部１２と、画像情報をバーコードデコードするバーコードデコーダ１３と、バーコードデコーダ１３で読み取られた第１の秘密鍵としての秘密鍵Ａの情報を記憶する記憶部１４と、この記憶された秘密鍵Ａの情報を復号化処理する復号化処理部１５と、制限命令または解除命令に基づき、制御モード状態を認識する機能制限／解除制御部１６と、制御モード状態を記憶する制限モード状態記憶部１７と、受信した第２の公開鍵としての公開鍵Ｃを記憶する記憶部１８と、この記憶された公開鍵Ｃで制御モード状態の情報を暗号化する暗号化処理部１９と、公開鍵Ｃの受信および制御モード状態の情報の送信を行う通信部２０と、アンテナ２１とを備える。
【００４１】
バーコードデコーダ１３および機能制限／解除制御部１６は、本発明にかかる機能制限手段を構成し、撮像部１１で被写体として撮影し、読み込んだ秘密鍵Ａの情報を含む機能制限移行用バーコードを、バーコードデコーダ１３でデコードすることで、機能制限／解除制御部１６が制限命令を認識して機能制限モードへの移行と判断して、制限対象となる自機の所定機能としての撮像部１１が撮影した画像を画像処理する撮像画像処理部１２の画像処理機能を制限する。なお、バーコードデコーダ１３で読み取られた秘密鍵Ａの情報は、記憶部１４に記憶され、機能制限／解除制御部１６で移行された機能制限モード状態を示す情報は、制限モード状態記憶部１７に記憶されることとなる。
【００４２】
また、バーコードデコーダ１３、復号化処理部１５および機能制限／解除制御部１６は、本発明にかかる機能制限解除手段を構成し、撮像部１１で被写体として撮影し、読み込んだ機能制限解除用バーコードを、記憶部１４に記憶された秘密鍵Ａの情報で復号化処理部１５が復号化することで、機能制限／解除制御部１６が解除命令を認識して機能制限解除モードへの移行と判断して、撮像画像処理部１２の画像処理機能の制限を解除する。さらに、復号化処理部１５は、解除命令の出力後に記憶部１４に対して、記憶されている秘密鍵Ａの消去命令を出力して、記憶部１４の記憶内容を消去させ、機能制限／解除制御部１６で移行された機能制限解除モード状態は、制限モード状態記憶部１７に記憶されることとなる。なお、機能制限／解除制御部１６が制限／解除する自機の所定機能としては、この他にたとえば撮像画像処理部１２で画像処理された画像情報を図示しない画像メモリに記憶する記憶機能であってもよい。
【００４３】
暗号化処理部１９および通信部２０は、本発明にかかる第１の通知手段を構成し、センターサーバ６から送信された第２の公開鍵としての公開鍵Ｃを通信部２０で受信して、記憶部１８に記憶させており、暗号化処理部１９は、制限モード状態記憶部１７に記憶されている機能制限モード状態の情報を、この公開鍵Ｃで暗号化して、通信部２０からセンターサーバ６に送信している。
【００４４】
管理装置２は、たとえば撮影禁止の場所である工場などに設置され、入場者が所持するカメラ付き携帯電話機１の撮影機能などを制限するためのもので、入退場時にカメラ付き携帯電話機１の機能制限と機能制限解除を行うための制御バーコード（機能制限移行用バーコードと機能制限解除用バーコード）を作成し、この機能制限移行用バーコードと機能制限解除用バーコードを一対一で管理する管理手段としての制御バーコード作成装置３と、この機能制限移行用バーコードと機能制限解除用バーコードが取り込まれて、液晶パネルなどに表示する表示手段としてのパーソナルコンピュータ（以下、「パソコン」という）４，５とを備える。また、制御バーコード作成装置３は、移行用バーコード作成手段と解除用バーコード作成手段を構成し、この機能制限移行用バーコードと機能制限解除用バーコードとをペアで作成し、機能制限移行用バーコードには、上述したごとく秘密鍵Ａの情報が制御コードに含まれ、この秘密鍵Ａの情報で機能制限解除用バーコードを復号化して読み取らない限り、機能制限を解除することができないように構成する。
【００４５】
また、センターサーバ６は、カメラ付き携帯電話機１を管理するための管理用のサーバであり、携帯電話会社に設置されてカメラ付き携帯電話機１との無線通信を可能として携帯電話機１の制御モード状態を検知している。このセンターサーバ６は、図３に示すように、公開鍵Ｃの送信および制御モード状態の情報の受信を行う第２の通知手段としての通信部６１と、アンテナ６２と、第２の秘密鍵としての秘密鍵Ｃを記憶する記憶部６３と、この秘密鍵Ｃに対応する第２の公開鍵としての公開鍵Ｃを記憶する記憶部６４と、記憶される秘密鍵Ｃによって制御モード状態の情報を復号化処理する復号化処理部６５と、復号化された制御モード状態を検知するモード状態検知部６６とを備える。このセンターサーバ６は、ユーザの携帯電話機１に対する機能制限／機能制限解除の制御モード状態を、暗号化を使って第三者に漏れることなく、確認することができる。
【００４６】
次に、この実施の形態にかかる携帯端末システムにおける機能制限および機能制限解除の動作を、図４のフローチャートを用いて説明する。図４において、まず、管理装置２では、制御バーコード作成装置３が制限命令としての制御コードに秘密鍵Ａの情報（ステップ１０１）を含ませて機能制限移行用バーコードを作成するとともに、解除命令としての制御コードをこの秘密鍵Ａに対応する公開鍵Ａの情報（ステップ１０２）で暗号化して機能制限解除用バーコードを作成する（ステップ１０３）。次に、制御バーコード作成装置３は、この作成した機能制限移行用バーコードをパソコン４に表示させる（ステップ１０４）。
【００４７】
カメラ付き携帯電話機１では、工場への入場時に、撮像部１１がパソコン４に表示された機能制限移行用バーコードを読み取り、バーコードデコーダ１３がこの機能制限移行用バーコードをデコードして（ステップ２０１）、秘密鍵Ａを抽出するとともに（ステップ２０２）、制限命令を機能制限／解除制御部１６に出力し、機能制限／解除制御部１６がこの制限命令に基づいて、制限モードへの移行処理を行い（ステップ２０３）、撮像画像処理部１２の画像処理機能を制限し、かつ制限モード状態の情報を制限モード状態記憶部１７に記憶する。
【００４８】
また、センターサーバ６からは、予め公開鍵Ｃの情報が送信されており（ステップ３０１）、カメラ付き携帯電話機１では、この公開鍵Ｃの情報を受信して記憶部１８に記憶している。次に、暗号化処理部１９で制限モード状態に移行したことをこの公開鍵Ｃの情報で暗号化して、通信部２０からセンターサーバ６に送信する（ステップ２０４）。
【００４９】
センターサーバ６では、この秘密鍵Ｃと、秘密鍵Ｃに対応する公開鍵Ｃの情報を予め記憶部６３，６４に記憶しており、暗号化された情報を受信すると、復号化処理部６５が秘密鍵Ｃで（ステップ３０２）、この情報を復号化し、カメラ付き携帯電話機１が制限モード状態に移行したことをモード状態検知部６６が確認する（ステップ３０３）。
【００５０】
また、管理装置２では、制御バーコード作成装置３が作成した機能制限解除用バーコードをパソコン５に表示させている（ステップ１０５）。カメラ付き携帯電話機１では、工場からの退場時に、撮像部１１がパソコン５に表示された機能制限解除用バーコードを読み取り、バーコードデコーダ１３がこの機能制限解除用バーコードをデコードして（ステップ２０５）、復号化処理部１５が記憶部１４に記憶されている秘密鍵Ａの情報で、この機能制限解除用バーコードを復号化する（ステップ２０６）。すなわち、この機能制限解除用バーコードは、公開鍵Ａで暗号化されているので、これに対応する秘密鍵Ａでのみ復号化ができ、機能制限の解除が実行される。
【００５１】
カメラ付き携帯電話機１では、機能制限／解除制御部１６がこの解除命令に基づいて、制限モードの解除処理を行い（ステップ２０７）、撮像画像処理部１２の画像処理機能の制限を解除し、かつ解除モード状態の情報を制限モード状態記憶部１７に記憶する。
【００５２】
また、センターサーバ６からは、予め公開鍵Ｃの情報が送信されており（ステップ３０４）、カメラ付き携帯電話機１では、この公開鍵Ｃの情報を受信して記憶部１８に記憶している。次に、解除モード状態に移行したことを公開鍵Ｃの情報で暗号化してセンターサーバ６に送信する（ステップ２０８）。
【００５３】
センターサーバ６では、復号化処理部６５が秘密鍵Ｃで（ステップ３０５）、この情報を復号化し、カメラ付き携帯電話機１が解除モード状態に移行したことをモード状態検知部６６が確認する（ステップ３０６）。
【００５４】
このように、この実施の形態では、管理装置２が作成した機能制限移行用バーコードおよび機能制限解除用バーコードを、カメラ付き携帯電話機１の撮影機能によって読み取らせてデコードさせることで、カメラ付き携帯電話機１が自機の撮影機能の制限および制限の解除を行うので、携帯電話機の撮影機能などに対し、確実に機能制限および機能制限解除を行うことができる。
【００５５】
また、この実施の形態では、公開鍵およびこれに対応する秘密鍵を用いて、機能制限移行用バーコードおよび機能制限解除用バーコードの暗号化や復号化を行うので、他に情報が漏れることなく、さらに確実に機能制限および機能制限解除を行うことができる。
【００５６】
なお、実施の形態１では、制御モード状態の通知をセンターサーバ６から受信した公開鍵Ｃで暗号化して送信していたが、本発明はこれに限らず、たとえばカメラ付き携帯電話機１が保持する第３の秘密鍵としての秘密鍵Ｂによって暗号化を行っても良い。すなわち、図２に示すように、カメラ付き携帯電話機１は、秘密鍵Ｂを記憶する記憶部２２と、この秘密鍵Ｂに対応する第３の公開鍵としての公開鍵Ｂを記憶する記憶部２３と、この記憶された秘密鍵Ｂで制限モード状態記憶部１７に記憶されている制御モード状態の情報を暗号化する暗号化処理部２４とをさらに備え、公開鍵Ｂの情報を予め通信部２０からセンターサーバ６に送信しておく。
【００５７】
また、センターサーバ６は、カメラ付き携帯電話機１から受信した公開鍵Ｂの情報を記憶する記憶部６７と、この受信した公開鍵Ｂの情報によって制御モード状態の情報を復号化する復号化処理部６８とをさらに備え、復号化した制御モード状態の情報をモード状態検知部６６に出力して、カメラ付き携帯電話機１の制御モード状態（制限モード状態か解除モード状態か）を検知する。
【００５８】
すなわち、図４に示すように、カメラ付き携帯電話機１では、ステップ２０４において、制限モードへの移行処理がなされると、秘密鍵Ｂに対応する公開鍵Ｂを通信部２０から送信する（ステップ２１０）。そして、暗号化処理部２４は、制限モード状態に移行したことを、この記憶されている秘密鍵Ｂ（ステップ２０９）で暗号化して、通信部２０からセンターサーバ６に送信する（ステップ２１１）。
【００５９】
センターサーバ６では、通信部６１で公開鍵Ｂおよび暗号化された情報を受信すると、この公開鍵Ｂでこの情報を復号化し、カメラ付き携帯電話機１が制限モード状態に移行したことをモード状態検知部６６が確認する（ステップ３０７）。なお、この場合には、予めカメラ付き携帯電話機１から公開鍵Ｂの情報をセンターサーバ６が受け取っているので、この公開鍵Ｂで復号化ができるということは、暗号化された情報の送信者が、カメラ付き携帯電話機１であるということを認証することも可能となる。
【００６０】
また、カメラ付き携帯電話機１では、ステップ２０７において、制限モードの解除処理がなされると、秘密鍵Ｂに対応する公開鍵Ｂを通信部２０から送信する（ステップ２１３）。そして、暗号化処理部２４は、解除モード状態に移行したことを、この記憶されている秘密鍵Ｂ（ステップ２１２）で暗号化して、通信部２０からセンターサーバ６に送信する（ステップ２１４）。
【００６１】
センターサーバ６では、通信部６１で公開鍵Ｂおよび暗号化された情報を受信すると、この公開鍵Ｂでこの情報を復号化し、カメラ付き携帯電話機１が解除モード状態に移行したことを、モード状態検知部６６が本人認証とともに確認する（ステップ３０８）。
【００６２】
このように、この変形例では、実施の形態１と同様に携帯電話機の撮影機能などに対し、確実に機能制限および機能制限解除を行うことができるとともに、カメラ付き携帯電話機から送信される公開鍵を用いて制御モード状態の復号化を行うことができるので、本人認証も同時に行うことができる。
【００６３】
なお、本発明で制限する所定機能は、撮影機能（ただしバーコードを使用する場合には、バーコードの読み取り機能は制限しない）、または撮影した画像の保存機能（ただし、機能制限解除用バーコードは、常に保存されない）の他に、たとえば携帯電話機が装備するテレビチューナの機能やＦＭラジオチューナの機能などが含まれる。また、本発明で使用されるバーコードは、所定時間で変えたり、または端末である携帯電話機ごとに変えて、携帯電話機に保存させないことが好ましい。また、本発明で制限する機能と鍵とは、ペアになっており、センターサーバがＬＵＴ（ルックアップテーブル）で保存していてもよい。この場合には、鍵を特定すると、制限される機能が特定されることとなる。また、これらの変形例は、以下の実施の形態でも、同様に行うことができる。
【００６４】
（実施の形態２）
図５は、本発明にかかる携帯端末システムの実施の形態２の構成の概念を示す概念図である。なお、以下の図において、実施の形態１と同様の構成部分に関しては、説明の都合上、同一符号を付記するものとする。
【００６５】
図５において、携帯端末システムは、携帯端末機としての携帯電話機１と、管理装置２と、サーバとしての携帯電話会社のセンターサーバ６とから構成されており、センターサーバ６が遠隔操作でカメラ付き携帯電話機１の所定機能を制限する方式を用いるものである。
【００６６】
このカメラ付き携帯電話機１は、図６のブロック図に示すように、実施の形態１と同様のレンズ１０、撮像部１１、撮像画像処理部１２、バーコードデコーダ１３、機能制限／解除制御部１６、通信部２０、アンテナ２１の他に、バーコードデコーダ１３で読み取られた機能制限要求データに基づいて、自機の機能制限を確認する機能制限確認制御部２５と、確認された機能制限を表示し、かつ機能制限承認情報を入力する確認表示部＆スイッチＨＳと、第１の秘密鍵としての秘密鍵Ｅを記憶する記憶部２６と、この秘密鍵Ｅに対応する第１の公開鍵としての公開鍵Ｅを記憶する記憶部２７と、この記憶された秘密鍵Ｅで機能制限承認情報を暗号化する暗号化処理部２８と、センターサーバ６から受信した機能制限処理または機能制限解除処理の処理情報（命令）を記憶する記憶部２９とを備え、機能制限／解除制御部１６は、この記憶された制限命令または解除命令に基づいて制御モード状態を認識して、撮像画像処理部１２の画像処理機能の制限または制限解除を行う。
【００６７】
この実施の形態におけるスイッチ、暗号化処理部２８および通信部２０は、本発明にかかる承認情報作成手段を構成し、たとえば機能制限確認制御部２５の表示制御によって、確認表示部＆スイッチＨＳのうちの確認表示部に表示された機能制限に対して、ユーザがスイッチ操作によってその機能制限を許可すると、暗号化処理部２８が暗号化された機能制限承認情報を作成し、通信部２０からセンターサーバ６に送信している。これに対して、センターサーバ６から通信部２０が制限命令を受信すると、記憶部２９に記憶された制限命令の情報に基づき、たとえば機能制限手段としての機能制限／解除制御部１６が撮像画像処理部１２の画像処理機能を制限する。または、実施の形態１と同様に、画像処理された画像情報を画像メモリに記憶する記憶機能を制限してもよい。
【００６８】
また、カメラ付き携帯電話機１では、たとえば出力手段として、たとえばＲＳ２３２Ｃによる有線を用いて管理装置２へ機能制限解除要求を送信しており、これに対してセンターサーバ６から通信部２０が解除命令を受信すると、記憶部２９に記憶された解除命令の情報に基づき、機能制限解除手段としての機能制限／解除制御部１６が撮像画像処理部１２の画像処理機能の制限を解除する。
【００６９】
管理装置２は、カメラ付き携帯電話機１の機能制限を管理する管理手段としての機能制限管理サーバ７と、この機能制限管理サーバ７からの機能制限要求の情報を表示するパソコン４とを備える。機能制限管理サーバ７は、有線接続されたカメラ付き携帯電話機１から機能制限解除要求を受信するとともに、それに対する拒否情報をカメラ付き携帯電話機１に送信する。また、機能制限管理サーバ７は、第２の秘密鍵としての秘密鍵Ｄと、この秘密鍵Ｄに対応する第２の公開鍵としての公開鍵Ｄを記憶しており、たとえば無線通信機能を有し、上記機能制限解除要求に対して、公開鍵Ｄで暗号化した承認情報をセンターサーバ６に無線送信している。なお、カメラ付き携帯電話機１と機能制限管理サーバ７との間は、たとえば通信部２０を介した無線通信で機能制限解除要求を送信してもよい。
【００７０】
センターサーバ６は、通信部６０、アンテナ６２の他に、通信部２０で受信した公開鍵ＤまたはＥを記憶する記憶部６９と、この公開鍵によって受信した承認情報を復号化する復号化処理部６８と、機能制限処理手段および機能制限解除処理手段としての機能制限／解除処理部７０とを備える。機能制限／解除処理部７０は、たとえばこの復号化された機能制限の承認情報に基づいて、機能制限処理を行って、機能制限命令を通信部６１を介してカメラ付き携帯電話機１に送信し、またこの復号化された機能制限解除の承認情報に基づいて、機能制限解除処理を行って機能制限解除命令を、通信部６１を介してカメラ付き携帯電話機１に送信する。
【００７１】
次に、この実施の形態にかかる携帯端末システムにおける機能制限および機能制限解除の動作を、図８のフローチャートを用いて説明する。図８において、まず管理装置２では、機能制限要求の情報（バーコード）をパソコン４に表示させて、機能制限要求を行う（ステップ１１０）。
【００７２】
カメラ付き携帯電話機１では、工場への入場時に、たとえばこの表示された機能制限要求のバーコードを撮像部１１で読み取り、バーコードデコーダ１３でデコードして、機能制限要求の情報を機能制限確認制御部２５に確認させて、確認表示部に表示させ、ユーザのスイッチ操作によって機能制限を受け入れるかどうか判断する（ステップ２２０）。ここで、機能制限の受け入れを拒否する場合（ステップ２２０：ＮＯ）、上記動作を終了し、また機能制限の受け入れる場合（ステップ２２０：ＹＥＳ）、自機が記憶する公開鍵Ｅの情報を通信部２０からセンターサーバ６に送信し、さらに暗号化処理部２８が秘密鍵Ｅで機能制限承認情報を暗号化して、通信部２０を介してセンターサーバ６に送信する（ステップ２２３）。
【００７３】
センターサーバ６では、通信部６１で受信した公開鍵Ｅの情報を記憶部６９に記憶させるとともに、復号化処理部６８がこの公開鍵Ｅで受信した機能制限承認情報を復号化し、機能制限／解除処理部７０に出力する。機能制限／解除処理部７０は、この承認情報に基づき、ユーザの本人認証とともに、ユーザが機能制限を承認したことを確認する（ステップ３１０）。次に、機能制限／解除処理部７０は、制限命令を通信部６１からカメラ付き携帯電話機１に送信し、リモートで機能制限処理を行う（ステップ３１１）。
【００７４】
カメラ付き携帯電話機１では、この制限命令の情報を通信部２０が受信すると、この制限命令の情報を記憶部２９に一旦記憶させ、機能制限／解除制御部１６がこの制限命令に基づき、制限モードへの移行処理を行って、撮像画像処理部１２の画像処理機能を制限する（ステップ２２４）。
【００７５】
また、図９のフローチャートに示すように、カメラ付き携帯電話機１では、工場からの退場時に、ユーザのスイッチ操作による機能制限解除要求を有線で管理装置２に送信する（ステップ２２５）。管理装置２では、機能制限管理サーバ７がこの機能制限解除要求を受け入れるかどうか判断する（ステップ１１１）。ここで、機能制限解除要求を受け入れない場合（ステップ１１１：ＮＯ）、カメラ付き携帯電話機１に拒否回答を行って上記動作を終了する。また、この機能制限解除要求を受け入れる場合（ステップ１１１：ＹＥＳ）、機能制限管理サーバ７は、自機が記憶する公開鍵Ｄをセンターサーバ６に無線送信し（ステップ１１２）、さらに図示しない暗号化処理部が公開鍵Ｄに対応する秘密鍵Ｄ（ステップ１１３）で、機能制限解除承認情報を暗号化して、センターサーバ６に無線送信する（ステップ１１４）。
【００７６】
センターサーバ６では、通信部６１で受信した公開鍵Ｄの情報を記憶部６９に記憶させるとともに、復号化処理部６８がこの公開鍵Ｄで受信した機能制限解除承認情報を復号化し、機能制限／解除処理部７０に出力する。機能制限／解除処理部７０は、この承認情報に基づき、管理装置２の本人認証とともに、管理装置２が機能制限解除を承認したことを確認する（ステップ３１２）。次に、機能制限／解除処理部７０は、解除命令を通信部６１からカメラ付き携帯電話機１に送信し、リモートで機能制限解除処理を行う（ステップ３１３）。
【００７７】
カメラ付き携帯電話機１では、この解除命令の情報を通信部２０が受信すると、この解除命令の情報を記憶部２９に一旦記憶させ、機能制限／解除制御部１６がこの解除命令に基づき、制限モードへの解除処理を行って、撮像画像処理部１２の画像処理機能の制限を解除する（ステップ２２６）。
【００７８】
このように、この実施の形態では、カメラ付き携帯電話機１のユーザが機能制限を許可すると、センターサーバがこのカメラ付き携帯電話機１に対して機能制限処理を行い、この際に暗号化による方式を用いることで、本人認証とともに、機能制限を確認することができる。また、ユーザが機能制限の解除を要求し、機能制限の要求者である管理装置２が許可した場合、管理装置２は、センターサーバに対して機能制限解除を許可したことを示し、センターサーバは、このカメラ付き携帯電話機１に対して機能制限解除処理を行い、この際に暗号化による方式を用いることで、本人認証とともに、機能制限解除を確認することができる。これにより、この実施の形態でも、実施の形態１および変形例と同様の効果を奏することができる。
【００７９】
なお、この実施の形態では、たとえば管理装置２から直接センターサーバ６に機能制限要求を送信し、センターサーバ６経由でカメラ付き携帯電話機１のユーザの受け入れの可否を確認してもよい。また、カメラ付き携帯電話機１のユーザが携帯電話の使用契約を解約した場合、センターサーバ６は、携帯電話機１に装備されるカメラやテレビチューナの機能制限処理をリモートで行うこともでき、これにより契約後に即解約して、取得した携帯電話機のこれら機能を利用されることを防止することができる。
【００８０】
また、この実施の形態では、カメラ付き携帯電話機１から管理装置２へ機能制限解除要求を送信する際に、Ｓ２３２Ｃによる有線を用いたが、これに限るわけではなく、ＵＳＢ（Ｕｎｉｖｅｒｓａｌ  Ｓｅｒｉａｌ  Ｂｕｓ）接続による有線を用いても構わないし、あるいは、無線通信（ＩｒＤＡ（Ｉｎｆｒａｒｅｄ  Ｄａｔａ  Ａｓｓｏｃｉａｔｉｏｎ）を用いた赤外線通信など）を用いても構わない。
【００８１】
（実施の形態３）
図１０は、本発明にかかる携帯端末システムの実施の形態３の構成の概念を示す概念図である。図１０において、携帯端末システムは、携帯端末機としての携帯電話機１と、管理装置２と、確認用端末機としての機能制限確認用携帯電話機８とから構成されており、カメラ付き携帯電話機１が本当に機能制限されているか否かを確認するものである。
【００８２】
このカメラ付き携帯電話機１は、図６のブロック図に示すように、実施の形態１と同様のレンズ１０、撮像部１１、撮像画像処理部１２、バーコードデコーダ１３、機能制限／解除制御部１６、制限モード状態記憶部１７、暗号化処理部２４の他に、バーコードデコーダ１３で読み取られた第１の秘密鍵としての秘密鍵Ｆを記憶する記憶部３０と、暗号化処理部２４で暗号化された制限モード状態を示す機能制限データをバーコードにエンコードするバーコードエンコーダ３１と、エンコードされたバーコードを表示するバーコード表示部３２とを備え、機能制限／解除制御部１６は、バーコードデコーダ１３でデコードされた制限命令に基づいて制限モード状態を認識して、撮像画像処理部１２の画像処理機能の制限を行う。
【００８３】
この実施の形態における暗号化処理部２４、バーコードエンコーダ３１は、証明用バーコード作成手段を構成し、バーコード表示部３２は、作成された証明用バーコードを表示する表示手段を構成しており、機能制限／解除制御部１６によって自機の所定機能、たとえば撮像画像処理部１２の画像処理機能が機能制限移行済みになると、暗号化処理部２４が、管理装置２から得た機能制限移行用バーコードに含まれる秘密鍵Ｆで、制限モード状態を示す機能制限データを暗号化し、さらにこの暗号化された機能制限データをバーコードエンコーダ３１でエンコードして証明用バーコードを作成し、バーコード表示部３２に表示させる。
【００８４】
管理装置２は、図１０に示すように、実施の形態１で示した制御バーコード作成装置３と、パソコン４とを備えており、制御バーコード作成装置３は、移行用バーコード作成手段と解除用バーコード作成手段を構成し、この機能制限移行用バーコードと機能制限解除用バーコードとをペアで作成し、機能制限移行用バーコードには、上述したごとく秘密鍵Ｆの情報が制御コードに含まれ、この秘密鍵Ｆの情報で機能制限解除用バーコードを復号化して読み取らない限り、機能制限を解除することができないように構成する。ここで、機能制限移行用バーコードは、機能制限しようとしている端末（カメラ付き携帯電話機１）でのみデコード可能であることが望ましい。なぜならば、機能制限しようとしている端末以外で秘密鍵Ｆが抽出されることを防止できるからである。
【００８５】
機能制限確認用携帯電話機８は、図１２のブロック図に示すように、被写体（証明用バーコード）からの反射光を取り込むレンズ８０と、レンズ８０を介して証明用バーコードを撮影する撮影手段としての撮像部８１と、画像情報の画像処理を行う撮像画像処理部８２と、画像情報をバーコードデコードするバーコードデコーダ８３と、第１の公開鍵としての公開鍵Ｆの情報を記憶する記憶部８４と、バーコードデコーダ８３で読み取られた機能制限データを公開鍵Ｆの情報で復号化する復号化処理部８５と、復号化処理部８５からの機能制限データに基づき、制御モード状態を認識するモード状態認識部８６と、この制御モード状態を表示する表示部８７とを備える。
【００８６】
機能制限確認用携帯電話機８では、カメラ付き携帯電話機１のバーコード表示部３２に表示された証明用バーコードを撮影し、秘密鍵Ｆに対応する公開鍵Ｆで復号化することで、モード状態認識部８６は、カメラ付き携帯電話機１の制御モード状態が制限モード状態であることを認識することが可能となる。
【００８７】
次に、この実施の形態にかかる携帯端末システムにおける機能制限および機能制限確認の動作を、図１３のフローチャートに基づいて説明する。図１３において、まず、管理装置２では、制御バーコード作成装置３が制限命令としての制御コードに秘密鍵Ｆの情報を含ませて機能制限移行用バーコードを作成する（ステップ１２０）。次に、制御バーコード作成装置３は、この作成した機能制限移行用バーコードをパソコン４に表示させる（ステップ１２１）。
【００８８】
カメラ付き携帯電話機１では、工場への入場時に、撮像部１１がパソコン４に表示された機能制限移行用バーコードを読み取り、バーコードデコーダ１３がこの機能制限移行用バーコードをデコードして（ステップ２３０）、秘密鍵Ａを抽出するとともに（ステップ２３１）、制限命令を機能制限／解除制御部１６に出力する。機能制限／解除制御部１６は、この制限命令に基づいて、制限モードへの移行処理を行い（ステップ２３２）、撮像画像処理部１２の画像処理機能を制限し、かつ制限モード状態の情報を制限モード状態記憶部１７に記憶する。また、バーコードデコーダ１３で抽出された秘密鍵Ｆの情報は、記憶部３０に記憶される。このように、機能制限移行用バーコードをデコードすることによって、カメラ付き携帯電話機１では、制限モードへの移行処理の実行コマンド（制御コード）と、秘密鍵Ｆの情報とを得ることができる。なお、制限モードへの移行処理の実行コマンドを得たカメラ付き携帯電話機１は、たとえばそのまま無条件に移行処理を実行してもよいし、または移行処理実行前に携帯電話機１のユーザに対して、確認を行なってもよい。その確認の結果、ユーザが機能制限を望まない場合には、機能制限／解除制御部１６は、移行処理を実行しないとともに、記憶部３０に記憶されている秘密鍵Ｆの情報を消去するように設定することも可能である。
【００８９】
次に、機能制限が完了したカメラ付き携帯電話機１では、暗号化処理部２４がこの記憶された秘密鍵Ｆの情報で制限モード状態の情報を暗号化し（ステップ２３３）、さらにバーコードエンコーダ３１でこの暗号化された制限モード状態の情報をエンコードして機能制限移行済みを示す証明用バーコードを作成する（ステップ２３４）。そして、この作成された証明用バーコードは、バーコード表示部３２に表示されることとなる（ステップ２３５）。
【００９０】
機能制限確認用携帯電話機８では、予め記憶部８４に秘密鍵Ｆに対応する公開鍵Ｆの情報が記憶されており（ステップ３２０）、機能制限要求者は、機能制限確認用携帯電話機８を用いて、このバーコード表示部３２に表示された証明用バーコードを撮像部８１が読み込み、バーコードデコーダ８３でデコードし、復号化処理部８５が公開鍵Ｆで復号化して機能制限データを得て、モード状態認識部８６によりカメラ付き携帯電話機１の制御モード状態が制限モード状態であることを認識して、この制限モード状態を表示部８７に表示させる（ステップ３２１，３２２）。なお、このとき、正しい秘密鍵Ｆで暗号化されたバーコードのみが公開鍵Ｆでの復号化が可能となる。すなわち、移行処理が完了していない携帯電話機では、真正な証明用バーコードを作成することができないこととなる。また、機能制限移行用バーコードに含ませる秘密鍵Ｆを入場日や入場場所によって変更すれば、過去に入場した際の秘密鍵の情報を悪用されることもなくなる。
【００９１】
このように、この実施の形態では、秘密鍵を含む機能制限移行用バーコードの読み込みによって機能制限処理を行った携帯電話機が、制限モード状態であることを示す証明用バーコードを作成して、この証明用バーコードを機能制限確認用携帯電話機で上記秘密鍵に対応する公開鍵で復号化して認識するので、携帯端末機の撮影機能などに対し、確実に機能制限を行うことができるとともに、携帯端末機が本当に機能制限されているか否かを確認することができる。
【００９２】
なお、以上説明した携帯端末機の機能を制限する方法として、たとえば携帯電話機のカメラやテレビチューナの機能に必要な一部のプログラムを、電話会社センターサーバ６側に記憶させておくように構成してもよい。すなわち、携帯電話機がカメラやテレビチューナの機能を使う場合、センターサーバ６側にアクセスし、必要なプロジェクタをダウンロードしないと、これらの機能が使えなくなる。ここで、ダウンロードするのは、プロジェクタでなくても、たとえばプログラムを動かすためのキー情報でもよい。センターサーバ６が、ある携帯電話機の機能を制限しようとした場合、携帯電話機から要求された、このダウンロードを許可しなければよい。これによって、電話会社センターサーバ側で携帯電話機の各種機能を制限することも容易になる。
【図面の簡単な説明】
【００９３】
【図１】本発明にかかる携帯端末システムの実施の形態１の構成の概念を示す概念図である。
【図２】図１に示したカメラ付き携帯電話機の構成を示すブロック図である。
【図３】同じく、センターサーバの構成を示すブロック図である。
【図４】同じく、携帯端末システムにおける機能制限および機能制限解除の動作を説明するための各装置のフローチャートである。
【図５】本発明にかかる携帯端末システムの実施の形態２の構成の概念を示す概念図である。
【図６】図５に示したカメラ付き携帯電話機の構成を示すブロック図である。
【図７】同じく、センターサーバの構成を示すブロック図である。
【図８】同じく、携帯端末システムにおける機能制限の動作を説明するための各装置のフローチャートである。
【図９】同じく、携帯端末システムにおける機能制限解除の動作を説明するための各装置のフローチャートである。
【図１０】本発明にかかる携帯端末システムの実施の形態３の構成の概念を示す概念図である。
【図１１】図１０に示したカメラ付き携帯電話機の構成を示すブロック図である。
【図１２】同じく、機能制限確認用携帯電話機の構成を示すブロック図である。
【図１３】同じく、携帯端末システムにおける機能制限および機能制限確認の動作を説明するための各装置のフローチャートである。
【符号の説明】
【００９４】
１  カメラ付き携帯電話機
２  管理装置
３  制御バーコード作成装置
４，５  パソコン
６  電話会社センターサーバ
７  機能制限管理サーバ
８  機能制限確認用携帯電話機
１０，８０  レンズ
１１，８１  撮像部
１２，８２  撮像画像処理部
１３，８３  バーコードデコーダ
１４，１８，２２，２３，２６，２７，２９，３０，６３，６４，６７，６９  記憶部
１５，６５，６８  復号化処理部
１６，７０  機能制限／解除制御部
１７  制限モード状態記憶部
１９，２４，２８  暗号化処理部
２０，６０，６１  通信部
２１，６２  アンテナ
２５  機能制限確認制御部
３１  バーコードエンコーダ
３２  バーコード表示部
６５，８５  復号化処理部
６６  モード状態検知部
８４  記憶部
８６  モード状態認識部
８７  表示部
ＨＳ  スイッチ
【図１】
2006319575.tif 000003
【図２】
2006319575.tif 000004
【図３】
2006319575.tif 000005
【図４】
2006319575.tif 000006
【図５】
2006319575.tif 000007
【図６】
2006319575.tif 000008
【図７】
2006319575.tif 000009
【図８】
2006319575.tif 000010
【図９】
2006319575.tif 000011
【図１０】
2006319575.tif 000012
【図１１】
2006319575.tif 000013
【図１２】
2006319575.tif 000014
【図１３】
2006319575.tif 000015